(57)【要約】      （修正有）【課題】狭額縁化と必要な放熱性の確保との両立が可能なバックライトおよびバックライトを備える表示装置を提供すること。【解決手段】バックライト２は、光源基板を保持する側面部を有する金属製の背面筐体４と、背面筐体４と組み合わされて樹脂製の光学部材（光学シート２ｂ、導光板２ｃ）を収容する筐体を形成する樹脂製の前面筐体３とを備える。背面筐体４は、前面筐体３と対向する底面部４ａと、底面部４ａの１つの辺から前面筐体３側に突出する側面部とを有する。前面筐体３は、枠部３ｂと、枠部３ｂにおける背面筐体４の側面部に対応する辺以外の辺から背面筐体４側にそれぞれ突出する側壁部３ｃと、側壁部３ｃに形成されかつ背面筐体４の底面部４ａにおける側面部が設けられる辺以外の辺に存在する底面部端部４ｃと係合可能な溝部３ｄとを有し、側壁部３ｃの溝部３ｄに底面部端部４ｃが係合した状態で筐体を形成する。【選択図】図５
2020113521.tif 000002
【特許請求の範囲】
【請求項１】
光源が実装される光源基板と、
前記光源基板を保持する側面部を有する金属製の背面筐体と、
前記背面筐体を保持する樹脂製の前面筐体と、
前記前面筐体と前記背面筐体とで形成される筐体内に収容される樹脂製の光学部材と、を備え、
前記背面筐体は、前記前面筐体と対向する底面部と、前記底面部の１つの辺から前記前面筐体側に突出する前記側面部とを有し、
前記前面筐体は、枠部と、前記枠部における前記背面筐体の前記側面部に対応する辺以外の辺から前記背面筐体側にそれぞれ突出する側壁部と、前記側壁部に形成されかつ前記背面筐体の前記底面部における前記側面部が設けられる辺以外の辺に存在する底面部端部と係合可能な溝部とを有し、
前記前面筐体と前記背面筐体は、前記前面筐体における前記側壁部の前記溝部に前記背面筐体における前記底面部の前記底面部端部が係合した状態で前記筐体を形成する、バックライト。
【請求項２】
前記背面筐体は、前記底面部の前記底面部端部から前記前面筐体とは反対側に突出する凸部と、前記側面部に形成されかつ前記前面筐体の前記枠部を支持する突出部とをさらに有し、
前記前面筐体は、前記溝部に形成されかつ前記凸部を収容可能な凹部をさらに有する、請求項１記載のバックライト。
【請求項３】
前記前面筐体は、前記側壁部における前記枠部とは反対側に設けられた、前記背面筐体の前記底面部の背面側を覆う背面部をさらに有する、請求項１または請求項２に記載のバックライト。
【請求項４】
光源が実装される光源基板と、
前記光源基板を保持する金属製の側面筐体と、
前記側面筐体を保持する樹脂製の前面筐体と、
前記前面筐体と前記側面筐体とで形成される筐体内に収容される樹脂製の光学部材と、を備え、
前記側面筐体は、前記筐体が有する複数の側面のうち１つの側面を形成し、
前記前面筐体は、枠部と、前記枠部における前記側面筐体に対応する辺以外の辺から前記光学部材側にそれぞれ突出しかつ前記筐体が有する他の側面を形成する側壁部と、前記側壁部における前記枠部とは反対側に設けられかつ前記筐体が有する背面を形成する背面部とを有する、バックライト。
【請求項５】
請求項１から請求項４のいずれか１項に記載のバックライトと、
前記バックライト上に配置された表示素子と、
を備える、表示装置。
【発明の詳細な説明】
【技術分野】
【０００１】
本発明は、バックライトおよびバックライトを備える表示装置に関するものである。
【背景技術】
【０００２】
情報電子機器の普及に伴い、薄型で軽量の表示装置は、携帯電話およびパソコン用のディスプレイ、産業用途で使用される各種の装置、車載の表示器、ハンディ端末、および広告表示器として様々な分野で使用されている。近年では、スマートフォンおよびタブレットなどの小型表示装置の狭額縁化に伴い、大型サイズの表示装置においても狭額縁化が求められている。
【０００３】
バックライトを備える表示装置では、バックライトが金属筐体で構成され、さらに光源の放熱のために熱伝導性の良い材料で形成された放熱部材が追加される場合がある（例えば特許文献１参照）。
【先行技術文献】
【特許文献】
【０００４】
【特許文献１】特許第４６１８３１０号公報
【発明の概要】
【発明が解決しようとする課題】
【０００５】
しかし、バックライトを備える表示装置では、バックライトの側面が金属筐体で覆われており、その中に配置される光学シートおよび導光板が温度変化により膨張または収縮した場合でも、熱膨張係数の低い金属筐体はほぼ膨張または収縮しない。これにより、例えば光学シートが膨張した際に金属筐体に接触し、光学シートがしわになるという問題があった。
【０００６】
そのため、光学シートおよび導光板と金属筐体との間には、温度変化時の光学シートおよび導光板の膨張収縮分のクリアランスを設ける必要があり、額縁が広くなるという問題があった。
【０００７】
金属筐体の代わりに樹脂筐体を採用することで、光学シートおよび導光板と筐体との熱膨張係数の差をなくすことで、額縁を狭めるという手法も考えられる。しかし、この場合、熱伝導率の低い材料でバックライトが構成されるため、放熱を行うことができずバックライトの内部が高温になるという問題があった。
【０００８】
そこで、本発明は、狭額縁化と必要な放熱性の確保との両立が可能なバックライトおよびバックライトを備える表示装置を提供することを目的とする。
【課題を解決するための手段】
【０００９】
本発明に係るバックライトは、光源が実装される光源基板と、前記光源基板を保持する側面部を有する金属製の背面筐体と、前記背面筐体を保持する樹脂製の前面筐体と、前記前面筐体と前記背面筐体とで形成される筐体内に収容される樹脂製の光学部材とを備え、前記背面筐体は、前記前面筐体と対向する底面部と、前記底面部の１つの辺から前記前面筐体側に突出する前記側面部とを有し、前記前面筐体は、枠部と、前記枠部における前記背面筐体の前記側面部に対応する辺以外の辺から前記背面筐体側にそれぞれ突出する側壁部と、前記側壁部に形成されかつ前記背面筐体の前記底面部における前記側面部が設けられる辺以外の辺に存在する底面部端部と係合可能な溝部とを有し、前記前面筐体と前記背面筐体は、前記前面筐体における前記側壁部の前記溝部に前記背面筐体における前記底面部の前記底面部端部が係合した状態で前記筐体を形成するものである。
【発明の効果】
【００１０】
本発明によれば、狭額縁化と必要な放熱性の確保との両立が可能なバックライトおよびバックライトを備える表示装置を実現することができる。
【図面の簡単な説明】
【００１１】
【図１】実施の形態１に係る表示装置の分解斜視図である。
【図２】実施の形態１に係る表示装置の正面図である。
【図３】実施の形態１に係る表示装置の背面斜視図である。
【図４】図２のＡ−Ａ線断面図である。
【図５】図２のＢ−Ｂ線断面図である。
【図６】図２のＣ−Ｃ線断面図である。
【図７】バックライトにおいて前面筐体と背面筐体の係合前の斜視図である。
【図８】バックライトの作用を説明するための正面図である。
【図９】実施の形態２の図４相当図である。
【図１０】実施の形態２の図６相当図である。
【図１１】図８の領域Ｄの拡大図である。
【図１２】実施の形態３に係る表示装置の背面斜視図である。
【図１３】実施の形態４に係る表示装置の分解斜視図である。
【発明を実施するための形態】
【００１２】
＜実施の形態１＞
本発明の実施の形態１について、図面を用いて以下に説明する。図１は、実施の形態１に係る表示装置１００の分解斜視図である。
【００１３】
＜表示装置の全体構成＞
図１に示すように、表示装置１００は、表示素子１およびバックライト２を備える。表示素子１は、画像を表示させる透過型または半透過型の表示パネルであり、具体的には液晶表示パネル等である。なお、実施の形態１では表示素子１は液晶表示パネルである。
【００１４】
表示素子１はバックライト２の上面に配置される。すなわち、バックライト２は、表示素子１の表示面１ａとは反対側に配置され、表示素子１を表示面とは反対側から照射する。バックライト２は、前面筐体３、光学シート２ｂ、導光板２ｃ、反射シート２ｄ、光源２ｅ、光源基板２ｆ、背面筐体４、および表示素子固定部材２ｈを備える。
【００１５】
光源２ｅは光源基板２ｆに実装される。導光板２ｃは、光源２ｅから出射された光を側面から入射して、前方に伝播する出射面と、出射面とは反対側に設けられた反出射面とを備える。光学シート２ｂは、導光板２ｃから出射された光の分布または広がりを制御するため、導光板２ｃの出射面に配置される。反射シート２ｄは、導光板２ｃの反出射面から抜けた光を導光板２ｃへ向かわせるため、導光板２ｃの反出射面に配置されている。背面筐体４は、反射シート２ｄの背面に配置され、光源基板２ｆ、光学シート２ｂ、導光板２ｃ、および反射シート２ｄを保持する。
【００１６】
光源２ｅとしては、ＲＧＢ（Ｒｅｄ：赤、Ｇｒｅｅｎ：緑、Ｂｌｕｅ：青、光の３原色）の点状光源、ＲＧＢ以外の発光色のＬＥＤ、または蛍光管ランプが配置される。点状光源を使用する場合、点状光源を実装する光源基板２ｆとして一般的なガラスエポキシ樹脂をベースにするもの、またはフレキシブルなフラットケーブルを使用してもよい。また放熱性を高めるために、アルミ等の金属またはセラミックをベースにするものを使用してもよい。
【００１７】
導光板２ｃは、透明なアクリル樹脂、ポリカーボネート樹脂、またはガラスなどで形成されている。導光板２ｃの反出射面と出射面には、光を出射させるとともに、面内の光の強度分布および出射方向を調整するための、散乱用ドットパターンまたはプリズム形状が形成されている。なお、散乱用ドットパターンまたはプリズム形状は、導光板２ｃの反出射面と出射面の一方のみに形成されていてもよい。
【００１８】
さらに導光板２ｃ上には、出射光の強度分布または出射角を調整するために、光学シート２ｂが配置される。光学シート２ｂとして、集光を目的としたレンズシート、光の均一化を目的とした拡散シート、または視野角方向で輝度を調整する視野角調整シート等が、目的に応じて必要な枚数配置される。
【００１９】
前面筐体３は、導光板２ｃの出射面からの光を出射させるための開口部３ａを有し、上面に表示素子固定部材２ｈを介して表示素子１を保持する。さらに前面筐体３は、背面筐体４も保持する。前面筐体３と背面筐体４が組み合わされることで、内部に樹脂製の光学部材が収容される筐体が形成される。ここで、光学部材とは、光学シート２ｂおよび導光板２ｃである。
【００２０】
前面筐体２ａには、ＰＣ（Ｐｏｌｙｃａｒｂｏｎａｔｅ：ポリカーボネート）、ＡＢＳ（Ａｃｒｙｌｏｎｉｔｒｉｌｅ Ｂｕｔａｄｉｅｎｅ Ｓｔｙｒｅｎｅ：アクリロニトリルブタジエンスチレン）等の樹脂材料を用いることができる。
【００２１】
背面筐体２ｇには、光源２ｅを実装した光源基板２ｆが位置決めされて保持される。光源２ｅから放出される熱を伝導させるために、背面筐体２ｇには熱伝導性が高い金属を使用することが望ましい。特に熱伝導性が高いアルミニウムまたはアルミ合金を用いることで、効率よく光源２ｅからの熱を放熱して、バックライト２に熱がこもることを抑制できる。
【００２２】
＜前面筐体と背面筐体の構成＞
次に、前面筐体３と背面筐体４の特徴的な構成について説明する。図２は、表示装置１００の正面図である。図３は、表示装置１００の背面斜視図である。図４は、図２のＡ−Ａ線断面図である。図５は、図２のＢ−Ｂ線断面図である。図６は、図２のＣ−Ｃ線断面図である。図７は、バックライト２において前面筐体３と背面筐体４の係合前の斜視図である。
【００２３】
図２〜図４、図７に示すように、背面筐体４は、前面筐体３と対向する底面部４ａと、底面部４ａの４つの辺のうちの１つの辺から前面筐体３側に突出する側面部４ｂとを備える。側面部４ｂは底面部４ａに対してほぼ垂直に設けられており、背面筐体４は断面視にてＬ字状である。側面部４ｂの内面に、光源２ｅを実装した光源基板２ｆが保持される。
【００２４】
また、図１、図２、図５および図６に示すように、前面筐体３は、枠部３ｂと、枠部３ｂにおける背面筐体４の側面部４ｂに対応する辺以外の辺から背面筐体４側にそれぞれ突出する３つの側壁部３ｃと、溝部３ｄとを備える。ここで、枠部３ｂにおける背面筐体４の側面部４ｂに対応する辺とは、前面筐体３と背面筐体４とを組み合わせた状態で背面筐体４の側面部４ｂに位置する辺である。
【００２５】
溝部３ｄは、背面筐体４の側面部４ｂに対向する側の側壁部３ｃの下端部の横方向全体に渡って形成され、さらにこれに隣接する２つの側壁部３ｃの下端部の横方向全体に渡って形成されている。溝部３ｄは、背面筐体４の底面部４ａにおける側面部４ｂが設けられる辺以外の辺に存在する底面部端部４ｃと係合可能である。背面筐体４は、底面部端部４ｃが溝部３ｄに係合されることで前面筐体３に保持される。
【００２６】
前面筐体３と背面筐体４は、前面筐体３における側壁部３ｃの溝部３ｄに背面筐体４における底面部４ａの底面部端部４ｃが係合した状態で筐体を形成する。筐体の内部に光学シート２ｂ、導光板２ｃ、および反射シート２ｄが収容され、これらは光源２ｅ側で固定されている。光学シート２ｂは樹脂で形成されており、前面筐体３は光学シート２ｂと同等の熱膨張係数の樹脂材料を用い、前面筐体３の側壁部３ｃと光学シート２ｂとの間においてそれぞれの材料物性に応じたクリアランス設定が必要となる。
【００２７】
＜作用＞
次に、図８を用いて、バックライト２の作用について説明する。図８は、バックライト２の作用を説明するための正面図である。
【００２８】
図８に示すように、バックライト２では、背面筐体４の側面部４ｂが、筐体における光源２ｅが配置される辺に対応する側面を形成し、前面筐体３の３つの側壁部３ｃがそれ以外の３つの側面を形成する。その結果、バックライト２における、光源２ｅが配置される辺に存在する側面は金属で形成され、それ以外の３つの側面は樹脂で形成されている。
【００２９】
温度変化に伴い光学シート２ｂが図８のＬ１で示す方向に膨張（収縮の場合は逆方向）した際に、前面筐体３も同様にＬ２で示す方向に膨張（収縮の場合は逆方向）するため、互いに同等の熱膨張係数で形成された前面筐体３、光学シート２ｂ、および導光板２ｃは温度変化の際に同様の膨張または収縮をするため、前面筐体３に対して光学シート２ｂおよび導光板２ｃが接触することを抑制できる。
【００３０】
すなわち、温度変化時の光学シート２ｂのしわの発生および導光板２ｃの破損を抑制することが可能となる。これにより、従来の光学シート２ｂおよび導光板２ｃの膨張量を考慮した前面筐体３と、光学シート２ｂおよび導光板２ｃとのクリアランスを可能な限り小さくすることができるため、バックライト２における、光源２ｅが配置される辺以外の辺に対応する３つの側面において額縁を狭くすることができる。これは、背面筐体４の側面部４ｂに対して光学シート２ｂおよび導光板２ｃを、クリアランス無しで位置決めすることで、光学シート２ｂおよび導光板２ｃの膨張による延び方向を背面筐体４の側面部４ｂ以外の方向に誘導することができるためである。
【００３１】
また、光源基板２ｆは金属で形成された背面筐体４の側面部４ｂに配置されるため、放熱性にも優れたバックライト２および表示装置１００を実現することができる。
【００３２】
また、バックライト２では、背面筐体４の底面部端部４ｃを前面筐体３の溝部３ｄにスライドさせて係合させるように構成されている。以下、この構造をスライド構造ともいう。これは、環境温度の変化で金属製の背面筐体４と樹脂製の前面筐体３がそれぞれ個別に膨張または収縮することを考慮したためであり、それぞれ別の材料で形成された前面筐体３および背面筐体４であってもストレスが加わることなく、環境温度の変化に耐えることが可能となる。
【００３３】
なお、溝部３ｄは、前面筐体３が膨張することにより背面筐体４の底面部端部４ｃが脱落しない長さで形成される。また、溝部３ｄは、前面筐体３の３つの側壁部３ｃの横方向全体に渡って形成されるが、背面筐体４の底面部端部４ｃの一部を係合できればよく、適宜省略することができる。
【００３４】
また、上記のように、背面筐体４の底面部端部４ｃと前面筐体３の溝部３ｄをスライド構造にすることにより筐体の形成が容易となるが、背面筐体４の底面部端部４ｃと前面筐体３の溝部３ｄが係合すればよく、スライド構造以外の構造であってもよい。
【００３５】
＜効果＞
以上のように実施の形態１に係る表示装置１００は、バックライト２と、バックライト２上に配置された表示素子１とを備える。また、バックライト２では、背面筐体４は、前面筐体３と対向する底面部４ａと、底面部４ａの１つの辺から前面筐体３側に突出する側面部４ｂとを有し、前面筐体３は、枠部３ｂと、枠部３ｂにおける背面筐体４の側面部４ｂに対応する辺以外の辺から背面筐体４側にそれぞれ突出する側壁部３ｃと、側壁部３ｃに形成されかつ背面筐体４の底面部４ａにおける側面部４ｂが設けられる辺以外の辺に存在する底面部端部４ｃと係合可能な溝部３ｄとを有し、前面筐体３と背面筐体４は、前面筐体３における側壁部３ｃの溝部３ｄに背面筐体４における底面部４ａの底面部端部４ｃが係合した状態で筐体を形成する。
【００３６】
したがって、狭額縁化と必要な放熱性の確保との両立が可能なバックライト２および表示装置１００を実現することができる。
【００３７】
このように、狭額縁化を実現できるため、バックライト２および表示装置１００の小型化を図ることができる。
【００３８】
＜実施の形態２＞
次に、実施の形態２に係る表示装置１００Ａについて説明する。図９は、実施の形態２の図４相当図である。図１０は、実施の形態２の図６相当図である。図１１は、図８の領域Ｄの拡大図である。なお、実施の形態２において、実施の形態１で説明したものと同一の構成要素については同一符号を付して説明は省略する。
【００３９】
実施の形態１では、背面筐体４の底面部端部４ｃを前面筐体３の溝部３ｄにスライドさせて係合させる構造であった。
【００４０】
これに対して実施の形態２では、図９〜図１１に示すように、表示装置１００Ａは表示装置１００と比較して、バックライト２の代わりにバックライト２Ａを備え、バックライト２Ａは、バックライト２と比較して、前面筐体３の代わりに前面筐体３Ａを備え、背面筐体４の代わりに背面筐体４Ａを備える。
【００４１】
背面筐体４Ａは、背面筐体４と比較して、底面部４ａの底面部端部４ｃから前面筐体３とは反対側に突出する凸部４ｄと、側面部４ｂに形成されかつ前面筐体３Ａの枠部３ｂを支持する突出部４ｅとをさらに備える。前面筐体３Ａは、前面筐体３に対して溝部３ｄに形成されかつ凸部４ｄを収容可能な凹部３ｅをさらに備える。
【００４２】
凸部４ｄは、３つの辺に存在する底面部端部４ｃのうち、底面部４ａにおける側面部４ｂが設けられる辺に対向する辺に存在する底面部端部４ｃの背面から下方に突出するように、当該底面部端部４ｃの幅方向全体または一部に連続的に形成されている。凹部３ｅは、溝部３ｄの底面における凸部４ｄに対応する位置に形成されている。なお、凸部４ｄは、連続的に形成される必要はなく、当該部分の幅方向に間隔をあけて複数形成されていてもよい。
【００４３】
突出部４ｅは、側面部４ｂの上端部から横方向全体に渡って内周側に突出するように形成され、前面筐体３Ａの枠部３ｂの一部を支持する。
【００４４】
凸部４ｄが凹部３ｅに収容され、かつ、突出部４ｅが前面筐体３Ａの枠部３ｂを支持することで、表示装置１００Ａが衝撃を受けても前面筐体３から背面筐体４が外れにくくなる。
【００４５】
なお、凸部４ｄは、他の辺に存在する底面部端部４ｃにも形成されるとともに、凹部３ｅは、溝部３ｄの底面における凸部４ｄに対応する位置に形成されていてもよい。
【００４６】
また、実施の形態２の構造を採用することで、背面筐体４の側面部４ｂに対向する側の側壁部３ｃに形成された溝部３ｄのみを残し、それ以外の溝部３ｄを省略することも可能となる。
【００４７】
以上のように、実施の形態２に係るバックライト２Ａでは、背面筐体４は、底面部４ａの底面部端部４ｃから前面筐体３とは反対側に突出する凸部４ｄと、側面部４ｂに形成されかつ前面筐体３Ａの枠部３ｂを支持する突出部４ｅとをさらに有し、前面筐体３は、溝部３ｄに形成されかつ凸部４ｄを収容可能な凹部３ｅをさらに有する。
【００４８】
したがって、耐振動衝撃性に優れたバックライト２Ａおよび表示装置１００Ａを実現することができる。
【００４９】
＜実施の形態３＞
次に、実施の形態３に係る表示装置１００Ｂおよびバックライト２Ｂについて説明する。図１２は、実施の形態３に係る表示装置１００Ｂの背面斜視図である。なお、実施の形態３において、実施の形態１，２で説明したものと同一の構成要素については同一符号を付して説明は省略する。
【００５０】
実施の形態１では、図３に示したように背面筐体４の底面部４ａは露出する構造であった。これに対して実施の形態３では、図１２に示すように、表示装置１００Ｂは表示装置１００と比較して、バックライト２の代わりにバックライト２Ｂを備え、バックライト２Ｂは、バックライト２と比較して、前面筐体３の代わりに前面筐体３Ｂを備える。
【００５１】
前面筐体３Ｂは、前面筐体３と比較して、側壁部３ｃにおける枠部３ｂとは反対側に設けられた、背面筐体４の底面部４ａの背面側を覆う背面部３ｆをさらに有する。背面部３ｆは、背面筐体４の底面部４ａの背面に対向するように、３つの側壁の下端に接続されている。前面筐体３Ｂにおける背面筐体４の側面部４ｂに対応する部分には、開口３ｇが形成されており、前面筐体３Ｂに背面筐体４の底面部４ａを収容することが可能である。なお、図１２では、図面を見やすくするために側面部４ｂは省略されている。
【００５２】
以上のように、実施の形態３に係るバックライト２Ｂでは、前面筐体３Ｂは、側壁部３ｃにおける枠部３ｂとは反対側に設けられた、背面筐体４の底面部４ａの背面側を覆う背面部３ｆをさらに有するため、耐振動衝撃性に優れたバックライト２Ｂおよび表示装置１００Ｂを実現することができる。
【００５３】
＜実施の形態４＞
次に、実施の形態４に係る表示装置１００Ｃおよびバックライト２Ｃについて説明する。図１３は、実施の形態４に係る表示装置１００Ｃの分解斜視図である。なお、実施の形態４において、実施の形態１〜３で説明したものと同一の構成要素については同一符号を付して説明は省略する。
【００５４】
実施の形態４では、図１３に示すように、表示装置１００Ｃは実施の形態３に係る表示装置１００Ｂと比較して、バックライト２Ｂの代わりにバックライト２Ｃを備え、バックライト２Ｃは、バックライト２Ｂと比較して、背面筐体４の代わりに金属製の側面筐体５を備える。
【００５５】
側面筐体５は光源基板２ｆを保持し、前面筐体３Ｂは側面筐体５を保持する。そして、前面筐体３Ｂと側面筐体５とで筐体を形成する。具体的には、側面筐体５は筐体が有する４つの側面のうち１つの側面を形成し、前面筐体３Ｂは筐体が有する他の３つの側面と背面とを形成する。前面筐体３Ｂと側面筐体５は、例えば接着剤で接合される。なお、実施の形態４の前面筐体３Ｂは、溝部３ｄを有していないこと以外は実施の形態３の前面筐体３Ｂと同じ構成であるため説明を省略する。
【００５６】
以上のように、実施の形態４に係るバックライト２Ｃは、光源２ｅが実装される光源基板２ｆと、光源基板２ｆを保持する金属製の側面筐体５と、側面筐体５を保持する樹脂製の前面筐体３Ｂと、前面筐体３Ｂと側面筐体５とで形成される筐体内に収容される樹脂製の光学部材とを備え、側面筐体５は、筐体が有する複数の側面のうち１つの側面を形成し、前面筐体３Ｂは、枠部３ｂと、枠部３ｂにおける側面筐体５に対応する辺以外の辺から光学部材側にそれぞれ突出しかつ筐体が有する他の側面を形成する側壁部３ｃと、側壁部３ｃにおける枠部３ｂとは反対側に設けられかつ筐体が有する背面を形成する背面部３ｆとを有する。したがって、耐振動衝撃性に優れたバックライト２Ｃおよび表示装置１００Ｃを実現することができる。
【００５７】
なお、本発明は、その発明の範囲内において、各実施の形態を自由に組み合わせたり、各実施の形態を適宜、変形、省略することが可能である。
【符号の説明】
【００５８】
１  表示素子、２，２Ａ，２Ｂ，２Ｃ  バックライト、２ｂ  光学シート、２ｃ  導光板、２ｅ  光源、２ｆ  光源基板、３，３Ａ，３Ｂ  前面筐体、３ｂ  枠部、３ｃ  側壁部、３ｄ  溝部、３ｅ  凹部、３ｆ  背面部、４，４Ａ  背面筐体、４ａ  底面部、４ｂ  側面部、４ｃ  底面部端部、４ｄ  凸部、４ｅ  突出部、５  側面筐体、１００，１００Ａ，１００Ｂ，１００Ｃ  表示装置。
【図１】
2020113521.tif 000003
【図２】
2020113521.tif 000004
【図３】
2020113521.tif 000005
【図４】
2020113521.tif 000006
【図５】
2020113521.tif 000007
【図６】
2020113521.tif 000008
【図７】
2020113521.tif 000009
【図８】
2020113521.tif 000010
【図９】
2020113521.tif 000011
【図１０】
2020113521.tif 000012
【図１１】
2020113521.tif 000013
【図１２】
2020113521.tif 000014
【図１３】
2020113521.tif 000015